(57)【要約】      （修正有）【課題】簡便な構造で、ロック機構部分のガタつきがなく、長期間の信頼、安定性にすぐれたパチン錠を提供する。【解決手段】かばん類の筺体側に配設される本体部と、かばん類の蓋体側に配設される受け部とを有する。本体部は、ロック機構と、表ケースと、表ケースに立設された支持部と、該支持部に設けられた錠部と、該支持部に回転軸を介して回動自在に装着された開閉レバーと、開閉レバーに回転軸を介して回動自在に装着された係止アームとを有する。受け部は、係止アームと係合し蓋体を閉じる鉤部とを有する。ロック機構は、表ケースの裏側に位置する裏ケースに配設されたカムを有し、錠部の鍵孔に鍵が挿入され、施錠方向に回転されたとき、カムが回転し、カムに設けられている係止片部が、表ケースに設けられている開閉レバー用溝部を塞ぎ、開閉レバーを施錠状態となる。【選択図】図１
0003178364.tif 000002
【実用新案登録請求の範囲】
【請求項１】
かばん類の筺体側に配設される本体部と、かばん類の蓋体側に配設される受け部とを有し、前記本体部は、表ケースと、表ケースに立設された支持部と、該支持部に設けられた錠部と、該支持部に回転軸を介して回動自在に装着された開閉レバーと、開閉レバーに回転軸を介して回動自在に装着された係止アームとを有し、一方、前記受け部は、前記係止アームと係合し蓋体を閉じる鉤部とを有してなり、前記本体部は、更にロック機構を有し、当該ロック機構は、表ケースの裏側に位置する裏ケースに配設されたカムを有し、当該カムは裏ケースに設けられた回動軸を中心にして回動するように装着されており、錠部の鍵孔に鍵が挿入され、施錠方向に回転されたとき、カムが回転し、カムに設けられている係止片部が、表ケースに設けられている開閉レバー用溝部を塞ぎ、開閉レバーを施錠状態となし、一方、錠部の鍵孔に鍵が挿入され、開錠方向に回転されたとき、カムが回転し、カムに設けられている係止片部が、表ケースに設けられている開閉レバー用溝部の塞ぎを解除して開錠となるようになしたことを特徴とするパチン錠。
【請求項２】
表ケースと、裏ケースと、裏ケースに配設されたカムとを有し、当該カムは前記裏ケースに設けられた回動軸を中心にして左右に回動するように装着されており、鍵の操作により施錠方向に回転されたとき、カムが回転し、カムに設けられている係止片部が、表ケースに設けられている開閉レバー用溝部を塞ぎ、施錠状態となし、一方、鍵の操作により開錠方向に回転されたとき、カムが回転し、カムに設けられている係止片部が、表ケースに設けられている開閉レバー用溝部の塞ぎを解除して開錠となるようになしたロック機構を備えたことを特徴とするパチン錠。
【請求項３】
カムの上部側にカムの回動軸となる円形状凸部が設けられ、当該円形状凸部に対応する裏ケースの位置に円形状嵌合部が設けられており、前記した円形状凸部と円形状嵌合部とが嵌合され、カムが前記円形状凸部を回動軸の中心として回動するように構成されていることを特徴とする請求項１、又は請求項２に記載のパチン錠。
【請求項４】
カムの上部側にカムの回動軸となる円形状嵌合部が設けられ、当該円形状嵌合部に対応する裏ケースの位置に円形状凸部が設けられており、前記した円形状嵌合部と円形状凸部とが嵌合され、カムが前記円形状嵌合部を回動軸の中心として回動するように構成されていることを特徴とする請求項１、又は請求項２に記載のパチン錠。
【請求項５】
カムは、カムが回動軸を中心にして左右のいずれかの一方に回動した際、表ケースに設けられている開閉レバー用溝部を塞ぐ係止片部を有し、カムが回動軸を中心にして左右のいずれかの他方に回動した際、表ケースに設けられている開閉レバー用溝部の塞ぎを解除する構造となしたことを特徴とする請求項１乃至４のいずれか１項に記載のパチン錠。
【請求項６】
カムは、カムが回動軸を中心にして左右のいずれかの一方に回動した際、表ケースに設けられている開閉レバー用溝部を塞ぐ係止片部を有し、カムが回動軸を中心にして左右のいずれかの他方に回動した際、表ケースに設けられている開閉レバー用溝部の塞ぎを解除する開放切欠き部を有することを特徴とする請求項１乃至５のいずれか１項に記載のパチン錠。
【請求項７】
カムが回動してカムの施錠位置を維持するため、またカムの開錠位置を維持するため、裏ケースとカムとが対面する側の所定位置に、かつ裏ケースとカムとにより挟持されるように、カムの戻り止め防止用の板ばねが配されていることを特徴とする請求項１乃至６のいずれか１項に記載のパチン錠。
【請求項８】
請求項１乃至７のいずれか１項に記載のパチン錠を備えたかばん類製品
【考案の詳細な説明】
【技術分野】
【０００１】
本考案は、トランク、スーツケース、キャリーバックやかばんなど（以下、これらをかばん類と称する。）に好ましく使用されるロック機構付きのパチン錠の改良に関する。
【背景技術】
【０００２】
パチン錠は、かばん類の筺体の蓋体の密閉及びその解除をワンタッチで行なうことができるものとして広く使用されており、又パチン錠にさらに施錠のためのロック機構が付設されたものも広く使用されている。例えばパチン錠は、図１に示すようにかばん類の筺体側に配設される本体部１１と、かばん類の蓋体側に配設される蓋体を密閉する受け部５０とを有している。前記本体部１１は、表ケース１２と、表ケース１２に立設された支持部１３と、該支持部１３に回転軸１４を介して、回動自在に装着された開閉レバー１５と、開閉レバー１５に回転軸１６を介して回動自在に装着された係止アーム１７とを有する。一方、かばん類の蓋体側に配設される受け部５０は、前記係止アーム１７の先端部が係合し、蓋体を閉じる働きをする鉤部５１とを有している。
【０００３】
又、かかるパチン錠のロック機構としては、図４、５に示すように、表ケース１０１と、表ケース１０１の裏側に配される裏ケース１０２と、裏ケース１０２内に配設されたカム１０３とを有する。カム１０３には、錠部１１０の鍵孔に鍵１１１が挿入されたとき、鍵１１１と係合する突起係合部１０４と、カム１０３の横方向に伸びるガイド溝部１０５とが設けられている。一方、当該ガイド溝部１０５と対応する裏ケース１０２の位置には、ガイド凸条部１０６が設けられており、カムのガイド溝部１０５と裏ケースのガイド凸条部１０６とは嵌合され、裏ケースのガイド凸条部１０６は、カム１０３のガイド溝部１０５内を左右に移動するようにされている。また、カムのガイド溝部１０５の上部には係合凸部１０７が設けられており、一方、裏ケースのガイド凸条部１０６の上部には、前記係止凸部１０７を挟むようにその左右に第１の係止孔部１０８と第２の係止孔部１０９が設けられており、カム１０３が図において左方向に移動したとき、カムの係合凸部１０７は裏ケースの第１の係止孔部１０８に落とし込まれてカムの移動が規制され、またカム１０３が図において右方向に移動したとき、カムの係合凸部１０７は裏ケースの第２の係止孔部１０９に落とし込まれてカムの移動が規制されるようになっている。
【０００４】
例えば、錠部１１０の鍵孔に鍵１１１が挿入され、鍵１１１が施錠方向（図の例においては左方向）に回転したとき、鍵１１１がカム１０３の突起係合部１０４と係合し、カム１０３は、裏ケースのガイド凸条部１０６に沿って左方向に、カムの係合凸部１０７が裏ケースの第１の係止孔部１０８に落ち込むまで平行移動する。開閉レバー１１４が締められた状態において、カム１０３が左方向にこの位置まで平行移動したとき、カム１０３の下側に設けられている第１の係止片部１１２及び第２の係止片部１１３は、開閉レバー１１４の一対の掛り屈曲部１１５、１１５が嵌入される表ケースの開閉レバー用係止溝部１１７、１１７を塞ぐように移動する。
【０００５】
すなわち、開閉レバー１１４が押し込まれて、パチン錠が施錠されたとき（すなわち、図１に示されるように、開閉レバー１５を一点鎖線の位置から、実線の位置に移動させ、受け部５０の鉤部５１と開閉レバー１５に設けられた係止アーム１７とが係合するように操作したとき）、開閉レバーの先端の一対の掛り屈曲部１１５、１１５は、表ケース１０１に設けられている表ケースの開閉レバー用係止溝部１１７、１１７に嵌入するとともに、当該開閉レバー用係止溝部１１７、１１７と連通するように設けられている裏ケースの開閉レバー用係止溝部１１６、１１６に、前記開閉レバーの掛り屈曲部１１５、１１５が嵌入し、カムの第１の係止片部１１２及び第２の係止片部１１３が、表ケースの開閉レバー用係止溝部１１７、１１７を開閉レバーの掛り屈曲部１１５、１１５を係止できる程度まで塞ぎ、掛り屈曲部１１５の係止凹状部１１９に係合し、図４の（ａ−１）のように開閉レバー１１４を規制状態となし、カム１０３が施錠状態の位置となる。
【０００６】
一方、錠部１１０の鍵孔に鍵１１１が挿入され、鍵１１１が開錠方向（図の例においては右方向）に回転したとき、鍵１１１がカム１０３の突起係合部１０４と係合し、カム１０３は、裏ケースのガイド凸条部１０６に沿って右方向に、カムの係合凸部１０７が裏ケースの第２の係止孔部１０９に落ち込むまで平行移動する。カム１０３が右方向にこの位置まで平行移動したとき、カムの第１の係止片部１１２及び第２の係止片部１１３は、表ケースの開閉レバー用係止溝部１１７、１１７が塞がれた状態から塞がれない状態（すなわち、解放状態）となるように移動し、開閉レバーの掛り屈曲部１１５の係止凹状部１１９との係合状態が開放され、図４の（ａ−２）のように開錠状態となり、開閉レバー１１４を開くことができるようになる。すなわち、図１に示されるように、開閉レバー１５を持ち上げて、開閉レバー１５を実線の位置から、一点鎖線の位置に移動させ、受け部５０の鉤部５１と開閉レバー１５の係止アーム１７との係合が外れるように操作できるようになる。
なお、図４において、１２０は裏ケース１０２を表ケース１０１に装着するためのかしめ部であり、１２１は表ケース１０１を筺体面に取り付けるネジ穴部である。
【０００７】
しかしながら、上記したようなパチン錠のロック機構においては、鍵１１１が、施錠方向に、あるいは開錠方向に回転されたとき、鍵１１１がカムの突起係合部１０４と係合し、カム１０３を横方向に移動させるが、この際、カムの係合凸部１０７が裏ケースの第１の係止孔部１０８、あるいは第２の係止孔部１０９に落とし込まれることにより、カム１０３の戻り止めがなされる。カム１０３の係合凸部１０７が前記した第１の係止孔部１０８、あるいは第２の係止孔部１０９に落とし込まれる際、第１の係止孔部１０８及び第２の係止孔部１０９の間のカムの平坦部をカムの係合凸部１０７が移動する。この際、カム１０３は前後方向に僅かの移動が生じる結果、裏ケース１０２及び／またはカム１０３にたわみが生じる。このたわみは、裏ケース及び／またはカムに変形を生じさせたり、またカムの係合凸部１０７の摩耗や損傷、また裏ケースの第１の係止孔部１０８や第２の係止孔部１０９の摩耗や損傷を生じさせる。この結果、裏ケースやカムにガタつきが生じて、長期間の耐久性、信頼性に問題を有していた。
【先行技術文献】
【特許文献】
【０００８】
【特許文献１】特開２０１０-２４７８２号公報
【特許文献２】特開２００４-１１５０６７号公報
【考案の概要】
【考案が解決しようとする課題】
【０００９】
本考案は、かかる問題を解決すべくなされたものであり、長期間の耐久性、信頼性にすぐれたロック機構付きパチン錠（すなわち鍵付きパチン錠）を提供するものである。
【課題を解決するための手段】
【００１０】
本考案者は、前記の課題を解決するために、鋭意検討した結果、本考案に至ったものであり、下記のパチン錠及びかばん類製品を提供するものである。
（１）かばん類の筺体側に配設される本体部と、かばん類の蓋体側に配設される受け部とを有し、前記本体部は、表ケースと、表ケースに立設された支持部と、該支持部に設けられた錠部と、該支持部に回転軸を介して回動自在に装着された開閉レバーと、開閉レバーに回転軸を介して回動自在に装着された係止アームとを有し、一方、前記受け部は、前記係止アームと係合し蓋体を閉じる鉤部とを有してなり、前記本体部は、更にロック機構を有し、当該ロック機構は、表ケースの裏側に位置する裏ケースに配設されたカムを有し、当該カムは裏ケースに設けられた回動軸を中心にして回動するように装着されており、錠部の鍵孔に鍵が挿入され、施錠方向に回転されたとき、カムが回転し、カムに設けられている係止片部が、表ケースに設けられている開閉レバー用溝部を塞ぎ、開閉レバーを施錠状態となし、一方、錠部の鍵孔に鍵が挿入され、開錠方向に回転されたとき、カムが回転し、カムに設けられている係止片部が、表ケースに設けられている開閉レバー用溝部の塞ぎを解除して開錠となるようになしたことを特徴とするパチン錠。
【００１１】
（２）表ケースと、裏ケースと、裏ケースに配設されたカムとを有し、当該カムは前記裏ケースに設けられた回動軸を中心にして左右に回動するように装着されており、鍵の操作により施錠方向に回転されたとき、カムが回転し、カムに設けられている係止片部が、表ケースに設けられている開閉レバー用溝部を塞ぎ、施錠状態となし、一方、鍵の操作により開錠方向に回転されたとき、カムが回転し、カムに設けられている係止片部が、表ケースに設けられている開閉レバー用溝部の塞ぎを解除して開錠となるようになしたロック機構を備えたことを特徴とするパチン錠。
【００１２】
（３）カムの上部側にカムの回動軸となる円形状凸部が設けられ、当該円形状凸部に対応する裏ケースの位置に円形状嵌合部が設けられており、前記した円形状凸部と円形状嵌合部とが嵌合され、カムが前記円形状凸部を回動軸の中心として回動するように構成されていることを特徴とする上記（１）又は（２）に記載のパチン錠。
（４）カムの上部側にカムの回動軸となる円形状嵌合部が設けられ、当該円形状嵌合部に対応する裏ケースの位置に円形状凸部が設けられており、前記した円形状嵌合部と円形状凸部とが嵌合され、カムが前記円形状嵌合部を回動軸の中心として回動するように構成されていることを特徴とする上記（１）又は（２）に記載のパチン錠。
【００１３】
（５）カムは、カムが回動軸を中心にして左右のいずれかの一方に回動した際、表ケースに設けられている開閉レバー用溝部を塞ぐ係止片部を有し、カムが回動軸を中心にして左右のいずれかの他方に回動した際、表ケースに設けられている開閉レバー用溝部の塞ぎを解除する構造となしたことを特徴とする上記（１）から（４）のいずれかに記載のパチン錠。
（６）カムは、カムが回動軸を中心にして左右のいずれかの一方に回動した際、表ケースに設けられている開閉レバー用溝部を塞ぐ係止片部を有し、カムが回動軸を中心にして左右のいずれかの他方に回動した際、表ケースに設けられている開閉レバー用溝部の塞ぎを解除する開放切欠き部を有することを特徴とする上記（１）から（５）のいずれかに記載のパチン錠。
【００１４】
（７）カムが回動してカムの施錠位置を維持するため、またカムの開錠位置を維持するため、裏ケースとカムとが対面する側の所定位置に、かつ裏ケースとカムとにより挟持されるように、カムの戻り止め防止用の板ばねが配されていることを特徴とする上記（１）から（６）のいずれかに記載のパチン錠。
（８）上記（１）〜（７）のいずれかに記載のパチン錠を備えたかばん類製品。
【考案の効果】
【００１５】
本考案によれば、簡便な構造で、ロック機構部分のガタつきがなく、長期間の耐久性、信頼性にすぐれたパチン錠を提供することができ、各種用途のかばん類用として最適である。また、本考案のパチン錠は、その他の各種用途として使用される物品のパチン錠に対しても有用である。
【図面の簡単な説明】
【００１６】
【図１】本考案の一実施形態に係わるパチン錠に係る説明図。
【図２】本考案の一実施形態に係わるパチン錠の本体部を裏面側から見た説明図。
【図３】本考案の一実施形態に係わるパチン錠の概略を示す分解図。
【図４】従来の一例に係るパチン錠に係る説明図。
【図５】従来の一例に係るパチン錠の概略を示す分解図。
【考案を実施するための最良の形態】
【００１７】
次に、本考案のパチン錠を図１〜図３の図面に基づいて具体的に説明する。図面は本考案の好ましい実施形態を例示したものであり、本考案は例示の図面とその説明に限定されない。また、図面の同一機能を有する部品には、理解を容易にするため同一符号を付して説明する。
図１は、本考案に係るパチン錠の好ましい実施形態の一例であって、かばん類に装着されるパチン錠の本体部と受け部とを別々に示した図面であり、パチン錠は、かばん類の筺体に装着される本体部１１と、かばん類の蓋体に装着される受け部５０とから構成されている。図１の（ａ−１）は、パチン錠の受け部の正面概略図を示し、（ａ−２）は、パチン錠の本体部の正面概略図を示し、（ｂ−１）は、前記受け部の側面概略図を示し、（ｂ−２）は、前記本体部の側面概略図を示す。図３は、本考案に係るパチン錠の本体部の好ましい実施形態の一例であって、本体部の分解図を示した図面である。
【００１８】
図示するように、本体部１１は、表ケース１２と、表ケース１２に立設された支持部１３と、該支持部１３に回転軸１４を介して回動自在に回動自在に装着された開閉レバー１５と、開閉レバー１５に回転軸１６を介して回動自在に装着された係止アーム１７と、支持部１３に設けられた錠部１８と、裏ケース１９とを有する。一方、受け部５０は、鉤部５１と、鉤部５１に設けられた掛り部５２とを有している。受け部５０と本体部１１とは、本体部１１の係止アーム１７が、受け部５０の鉤部５１の掛り部５２と係合するような位置関係をもって、本体部１１は筺体（図示せず）に、また受け部５０は蓋体（図示せず）に装着されている。
図１の（ｂ−２）において、一点鎖線をもって示された係止アーム１７は、係止アーム１７を受け部４０の掛り部５２に係合させようとする操作の際の、係止アーム１７を持ち上げた状態を示している。
図１の（ａ−１）及び（ａ−２）において、５３は、受け部５０をかばん類の蓋体にネジ止めするためにネジ孔であり、３７は、本体部１１をかばん類の筺体にネジ止めするためにネジ孔である。
【００１９】
本考案のパチン錠においては、施錠するためのロック機構を有している。
図２は、本考案に係るパチン錠のロック機構の好ましい実施形態の一例の本体部１１の裏面側から見た図面であり、図２の（ａ−１）は、施錠状態を示す概略裏面図であり、図２の（ａ−２）は、開錠状態を示す概略裏面図であり、図２の（ａ−３）は、本体部１１の概略側面図である。かかるロック機構は、図２に示すように、表ケース１２の裏側に位置する裏ケース１９に配設されたカム２０を有し、カム２０は裏ケース１９に設けられた回動軸２１を中心にして回動するように（すなわち、回動の支点として回転するように）装着されており、鍵２２が錠部１８の鍵孔２３に挿入され、鍵２２が施錠方向に回転されたとき、鍵２２と、カム２０の回転軸２１の上部に設けられている突起状係合部２４とが係合し、カム２０が回転するようになっている。上記したカム２０は、表ケース１２と裏ケース１９との間に配される。一方、表ケース１２には、図３の（ｈ）に示されるように、一対の開閉レバー用溝部２５、２５が、又裏ケース１９には、図３の（ｋ）に示されるように、一対の開閉レバー用溝部２６、２６が、それぞれ連通するように設けられており、開閉レバー１５が閉られたとき（すなわち、開閉レバー１５が押し下げられたとき）、開閉レバー１５の一対の掛り屈曲部２７、２７が、表ケース１２の開閉レバー用溝部２５、２５に挿入されるようになっている。
【００２０】
図示した例では、鍵２２が鍵孔２３に挿入され、施錠方向（図２においては左方向）に回転したとき、鍵２２がカム２０の上部に設けられた突起状係合部２４と係合し、カムが左方向に回動する。カム２０が左方向に回動したとき、カムに設けられている係止片部２８、２８が、表ケース１２に設けられている開閉レバー用溝部２５、２５を塞ぎ、カム２０が施錠位置となる。開閉レバー１５が、閉じられた状態（施錠状態）においては、開閉レバーの掛り屈曲部２７、２７が、表ケースの開閉レバー用溝部２５、２５に挿入されており、カムの係止片部２８、２８は表ケースの開閉レバー用溝部２５、２５の必要部分を塞ぎ、開閉レバーの掛り屈曲部２７、２７が表ケースの開閉レバー用溝部２５、２５から抜けないように係止され、図２の（ａ−１）の様に施錠に状態となる。
【００２１】
一方、鍵２２が鍵孔２３に挿入され、開錠方向（図２においては右方向）に回動したとき、鍵２２がカムの突起状係合部２４と係合し、カム２０が右方向に回動する。図示した例のように、カム２０の下側の構造は、カム２０が回動軸２１を中心にして所定角度をもって右方向に回動したとき、一方の表ケースの開閉レバー用溝部２５（図２においては左側の溝部２５）の大きさと位置が一致するようにされた溝状の開放切欠き部２９が設けられ、他方の表ケースの開閉レバー用溝部２５（図２においては右側の溝部２５）は塞がないような形状に、例えば他方の表ケースの開閉レバー用溝部２５に至らないような切欠き形状に設計されており、カム２０の所定角度の回動により、開閉レバーの掛り屈曲部２７、２７が表ケースの開閉レバー用溝部２５、２５から抜ける状態となり、開閉レバーの掛り屈曲部２７、２７との係合状態が開放され、開閉レバーを開くこと、すなわち上方に引き上げることができるようになり、開錠状態となるようにされている。
【００２２】
あるいはまた、上記した表ケースの一対の開閉レバー用溝部２５、２５に対応するように、二つの溝状の開放切欠き部をカム２０の下側に設けてもよい。すなわち、カム２０を右方向に回動したとき、一方の表ケースの開閉レバー用溝部２５（図２においては左側の溝部２５）と一致するようにされた溝状の開放切欠き部２９を設け、他方の表ケースの開閉レバー用溝部２５（図２においては右側の溝部２５）も塞がないように、もう一つの溝状の開放切欠き部を有する形状に設計し、カム２０の所定角度の回動により、開錠状態が確保されるようにしてもよい。
すなわち、カム２０の形状としては、カム２０の一方向への所定角度の回動により表ケースの開閉レバー用溝部２５、２５を塞ぎ、カム２０の他方向への所定角度の回動により表ケースの開閉レバー用溝部２５、２５の塞ぎが解除されるような適宜の構造に設計されたものが使用される。
【００２３】
カム２０は、裏ケース１９に設けられた回動軸２１（すなわち回転軸）を中心にして回動するような構成、すなわち所定の角度をもって右方向及び左方向に回転するような構成であれば、各種の構造が採用することができる。例えば、カム２０の上部側にカムの回動軸となる円形凸部３５を設け、一方、当該円形状凸部３５に対応する裏ケース１９の位置に円形状嵌合部３６を設け、前記の円形状凸部３５と円形状嵌合部３６とを嵌合させ、カム２０が前記円形状凸部３５を回動軸として回動するような構造とするのが代表的な例である。また、カム２０の上部側にカムの回動軸となる円形状嵌合部３５´（図示せず）を設け、一方、当該円形状嵌合部３５´に対応する裏ケース１９の位置に円形状凸部３６´（図示せず）を設け、前記の円形状嵌合部３５´と円形状凸部３６´とを嵌合させ、カム２０が前記円形状嵌合部３５´を回動軸として回動するような構造としてもよい。
上記した説明において、裏ケース１９に設けられた円形状嵌合部３６、または円形状凸部３６を回動軸（すなわち回転軸の中心）として説明したが、カム２０に設けられた円形状凸部３５、または円形状嵌合部３５´を回動軸２１（すなわち回転軸の中心）として読んでも同意味である。
【００２４】
上記したロック機構においては、カム２０が回動してカム２０の施錠位置を維持するため、また開錠位置を維持するため、すなわちカム２０の戻り止めのため、裏ケース１９とカム２０とが対面する側の所定位置に、かつ裏ケース１９とカム２０とにより挟持されるように、板ばね３０が配されている。かかる板ばね３０を所定位置に位置止めするため、裏ケースのカム２０面側の所定位置には、板ばね係止用の凸状部３１が１つ、あるいは複数設けられ、またカム２０の裏ケース１９面側の所定位置には、板ばね係止用の凸状部３２が１つ、あるいは複数設けられている。このような凸状部３１及び凸状部３２により板ばね３０は、所定位置に係止され、カム２０に対して付勢力が加わるようになっている。
【００２５】
図２に示したパチン錠のロック機構は、カム２０を左側に所定角度回動したとき、施錠状態とし、カム２０を右側に所定角度回動したとき、開錠状態となるような構造の例につて説明したが、これを反転させ、カム２０を右側に所定角度回動したとき、施錠状態とし、カム２０を左側に所定角度回動したとき、開錠状態となるような構造としてもよいことは勿論である。
【００２６】
次に、本考案のパチン錠の本体部１１をその概略の構成を示す分解図である図３に従って更に説明する。図３において、（ａ）は鍵２２を、（ｂ）は係止アーム１７を、（ｃ）は開閉レバー１５を、（ｄ）は係止アーム１７を回動自在に開閉レバー１５に取付けるための回転軸１６を、（ｈ）は表ケース１２を、（ｆ）は錠部１８を、（ｅ）は表ケース１２に対し錠部１８が取り付けられ、また開閉レバー１５を取付ける台座となる支持部１３を、（ｇ）は、開閉レバー１５を支持部１３に対し回動自在に取付けるための回転軸１４を、（ｉ）はカム２０を、（Ｊ）は板ばねを、（ｋ）は裏ケース１９を、それぞれの概略斜視図をもって示している。
【００２７】
錠部１８は、支持部１３に設けられた錠部用の取付け孔に挿入され、錠部１８の他端は、表ケース１２の錠部用の取付け孔を貫通して裏ケース１９まで到るような関係で支持部１３に取り付けられている。また、支持部１３は突出片３２が設けられており、この突出片３２は、表ケース１２の支持部１３の取付け位置に穿たれた支持部装着用の溝部３３に挿入され、かしめられて、支持部１３が表ケース１２の表側に装着されるようになっている。一方、図３において支持部１３の下側には、開閉レバー１５が回転軸１４により回動自在に装着され、図１において実線及び一点鎖線で示したように、開閉レバー１５が、押し下げおよび引き上げの移動できるようになっている。開閉レバー１５が引き上げられたとき（すなわち、図１の（ａ−２）においては、紙面における上の方向に引き上げられたとき）、係止アーム１７は図１の（ａ−２）及び（ｂ−２）における上方向に移動し、係止アーム１７のアーム先端は、受け部５０の鉤部５１の掛り部５２と係合し、一方、開閉レバー１５が実線の位置まで戻されたとき、表ケース１２と開閉レバー１５との間に配された板ばねによりパチン錠の施錠状態が付勢されるようになっている。
【００２８】
表ケース１２の下部には、開閉レバー１５の一対の掛り屈曲部２７、２７が挿入されるように、開閉レバー用溝部２５、２５が一対の掛り屈曲部２７、２７と対応する位置に空けられており、また裏ケース１９の下部にも表ケースの開閉レバー用溝部２５、２５と対応する位置に、裏ケースの開閉レバー用溝部２６、２６が空けられている。そして、開閉レバーが閉じられたとき、開閉レバー１５の一対の掛り屈曲部２７、２７が表ケースの開閉レバー用溝部２５、２５に挿入されるようになっている。なお、裏ケースに設けられた開閉レバー用溝部２６、２６は、開閉レバー１５の掛り屈曲部２７、２７が裏ケース１９に当たらないようにするための逃げ孔としての機能を有する。
【００２９】
開閉レバー１５の一対の掛り屈曲部２７、２７が表ケースの開閉レバー用溝部２５、２５に挿入された状態において、カム２０を回転させてカムの係止片部２８が、表ケースの開閉レバー用溝部２５、２５の所定領域、例えば表ケースの開閉レバー用溝部２５、２５の上半部を塞ぐようにしたとき、カムの係止片部２８は、開閉レバーの掛り屈曲部２７、２７の凹状部３４、３４に係合し、開閉レバー１５の掛り屈曲部２７、２７は、表ケースの開閉レバー用溝部２５、２５から抜けないように規制し、施錠状態を維持する。
【００３０】
一方、開閉レバー１５の一対の掛り屈曲部２７、２７が表ケースの開閉レバー用溝部２５、２５に挿入された状態において、カム２０を回転させてカムの溝状の開放切欠き部２９が、表ケースの開閉レバー用溝部２５、２５に位置したとき、カム２０は表ケースの開閉レバー用溝部２５、２５を塞がない状態となり、カム２０による開閉レバー１５の掛り屈曲部２７、２７と表ケースの開閉レバー用溝部２５、２５との規制がなくなり、開閉レバー１５の掛り屈曲部２７、２７は表ケースの開閉レバー用溝部２５、２５から抜けることができるようになり、開錠状態となり、開閉レバー１５を上方向に回動し、立ち上げることにより、パチン錠を開錠することができる。
パチン錠の受け部５０や、本体部の表ケース１２、開閉レバー１５、係止アーム１７、カム２０や裏ケース１９の部品としては、ステンレス鋼、鉄などの適宜な材料からなるものが好ましく使用される。
【００３１】
本考案のパチン錠のロック機構は、本体部１１の開閉レバー１５の掛り屈曲部２７、２７が、表ケース１２の開閉レバー用溝部２５、２５に挿入されとき、開閉レバーの掛り屈曲部２７、２７が、表ケース１２の開閉レバー用溝部２５、２５から抜けるのを規制するためのカム２０の移動、及びこの規制を解除するためのカム２０の移動が、裏ケース１９に設けられた回動軸を中心にした左方向または右方向への回転によるので、カムの移動時にガタつきが生じることがない。従って、従来例として図４、５に示したような、カムの左右の平行移動の場合のように表ケースと裏ケースとの間での前後方向の移動がなく、裏ケースやカムにガタつきが生じることがない。
【産業上の利用可能性】
【００３２】
本考案のパチン錠は、簡便な構造で、ロック機構部分のガタつきがなく、長期間の耐久性、信頼性にすぐれたロック機構付きのパチン錠を提供することができ、かばん、スーツケース、トランク等のかばん類用として有用である。また、その他の用途として使用される物品のパチン錠においても有用である。
【符号の説明】
【００３３】
１１：パチン錠の本体部      １２：表ケース          １３：支持部
１４：回転軸                １５：開閉レバー        １６：回転軸
１７：係止アーム            １８：錠部              １９：裏ケース
２０：カム                  ２１：回動軸            ２２：鍵
２３：鍵孔                  ２４：突起状係合部
２５：表ケースの開閉レバー用溝部        ２６：裏ケースの開閉レバー用溝部
２７：開閉レバーの掛り屈曲部            ２８：カムの係止片部
２９：開放切欠き部          ３０：板ばね        ３１、３２：板ばね係止用の凸状部
５０：パチン錠の受け部      ５１：鉤部              ５２：掛り部
【図１】
0003178364.tif 000003
【図２】
0003178364.tif 000004
【図３】
0003178364.tif 000005
【図４】
0003178364.tif 000006
【図５】
0003178364.tif 000007